(57)【要約】【課題】コンピュタを取り出す必要なしにコンピュタを操作できるようにするためのラップトップコンピュタ用ケースを提供する。【解決手段】剛性材料で作られていてラップトップコンピュタの表示部に固定され得るようになっている第１の部分１１０と、剛性材料で作られていて前記ラップトップコンピュタのキーボード部に固定され得るようになっている第２の部分１３０と、第１の部分１１０を第２の部分１３０に連結して、第１の部分１１０を第２の部分１３０に対して回動可能となすことにより、ラップトップコンピュタの開閉を可能にする連結部１４０と、連結部１４０を横切って選択的に固定可能のカバー用フラップ１５０とを備えている。ラップトップコンピュタを開いて操作している間、第１の部分１１０と第２の部分１３０は、前記表示部とキーボード部にそれぞれ固定された状態となる。【選択図】図１
2008027417.tif 000002
【特許請求の範囲】
【請求項１】
剛性材料で作られていてラップトップコンピュタの表示部に固定され得るようになっている第１の部分と、
剛性材料で作られていて前記ラップトップコンピュタのキーボード部に固定され得るようになっている第２の部分と、
前記第１の部分を前記第２の部分に連結して、前記第１の部分を前記第２の部分に対して回動可能となすことにより、前記ラップトップコンピュタの開閉を可能にする連結部と、
前記連結部を覆い得る第１のカバー用フラップとを備え、
前記ラップトップコンピュタを開いて操作している間、前記第１の部分と第２の部分が前記表示部とキーボード部にそれぞれ固定された状態となるようにした、ラップトップコンピュタ用ケース。
【請求項２】
前記第１の部分と前記第２の部分の何れか一方の、前記連結部を除く三辺の周縁部に沿ってそれぞれ一端縁部が固着され、他端縁部が前記第１の部分と前記第２の部分の何れか他方に取外し可能に止着されて、前記ラップトップコンピュタが閉じられたとき前記ラップトップコンピュタ全体を覆い得る第２のカバー用フラップを更に備えた、請求項１に記載のラップトップコンピュタ用ケース。
【請求項３】
前記連結部は、前記第１の部分と第２の部分との間に連結された少なくとも一つの革帯により構成されている、請求項１又は２に記載のラップトップコンピュタ用ケース。
【請求項４】
前記第１のカバー用フラップは、前記第１及び第２の部分の一方に固定され且つ他方に取り外し可能に止着することができて、前記他方から取り外されたときラップトップコンピュタの後縁にある複数の開口を露出させることができるようになっている、請求項１乃至３の何れかに記載のラップトップコンピュタ用ケース。
【請求項５】
前記第１の部分から下方に延びていて、前記第１のカバー用フラップの半分の幅を有し、ラップトップコンピュタが閉じられたとき、前記第１のカバー用フラップを覆うように取り外し可能に止着され得る第３のカバー用フラップを更に備えた、請求項１乃至４の何れかに記載のラップトップコンピュタ用ケース。
【請求項６】
前記カバー用フラップは、何れも、フック及びループファスナー， ジッパー及びヴェルクロの何れか一つを使用することにより、取り外し可能に止着することができる、請求項１乃至５の何れかに記載のラップトップコンピュタ用ケース。
【請求項７】
前記カバー用フラップは、フック及びループファスナー，ジッパー及びヴェルクロの何れかの組合わせを使用することにより、取り外し可能に止着することができる、請求項１乃至５の何れかに記載のラップトップコンピュタ用ケース。
【請求項８】
前記第１の部分は平らである、請求項１乃至７の何れかに記載のラップトップコンピュタ用ケース。
【請求項９】
前記第２の部分は平らである、請求項１乃至８の何れかに記載のラップトップコンピュタ用ケース。
【請求項１０】
前記第１の部分の外側表面には、少なくとも一つのポケットが備えられている、請求項１乃至９の何れかに記載のラップトップコンピュタ用ケース。
【請求項１１】
前記連結部と対向する第１の端縁に沿う前記第１の部分には第１のハンドルが、前記連結部に対向する第２の端縁に沿う前記第２の部分には第２のハンドルがそれぞれ備えられていて、前記第１及び第２のハンドルは、前記ケースの持ち運びができるように構成されている、請求項１乃至１０の何れかに記載のラップトップコンピュタ用ケース。
【請求項１２】
前記連結部には、前記ラップトップコンピュタの後縁にある複数の開口にほぼ対応するように配置された孔を有する部材が備えられている、請求項１乃至１１の何れかに記載のラップトップコンピュタ用ケース。
【請求項１３】
前記連結部から離れた前記第１の部分の第１の角部にある第１の受口と、前記連結部から離れた前記第１の部分の第２の角部にある第２の受口を更に備えている、請求項１乃至１２の何れかに記載のラップトップコンピュタ用ケース。
【請求項１４】
前記第１及び第２の受口は弾性体で作られている、請求項１３に記載のラップトップコンピュタ用ケース。
【請求項１５】
両端が前記第１の部分の対向する端縁の前記連結部のすぐ近くに装着されたバンドを更に備え、前記バンドは前記第１の部分との間にあるラップトップコンピュタの前記表示部を受容する長さである、請求項１乃至１４の何れかに記載のラップトップコンピュタ用ケース。
【請求項１６】
前記連結部から離れた前記第２の部分の第１角部にある第３の受口と、前記連結部から離れた前記第２の部分の第２角部にある第４の受口を更に備えている、請求項１に記載のラップトップコンピュタ用ケース。
【請求項１７】
前記第３及び第４の受口は弾性体で作られている、請求項１６に記載のラップトップコンピュタ用ケース。
【請求項１８】
前記第１の部分の内側に、ラップトップコンピュタの表示部を覆い得る透明なプラスチックカバーが設けられている、請求項１乃至１２の何れかに記載のラップトップコンピュタ用ケース。
【請求項１９】
前記連結部に対向して前記第１及び第２の部分の少なくとも一方に取り付けられ、且つ前記第１及び第２の部分の少なくとも他方に離脱可能に取り付けられた革帯を更に備えている、請求項１乃至１８の何れかに記載のラップトップコンピュタ用ケース。
【請求項２０】
前記第１のカバー用フラップは、ラップトップコンピュタが閉じられた時、前記第１のカバー用フラップの端縁が前記第１の部分の下端縁と合致するような具合に、ヴェルクロその他の付着媒体を介して前記連結部に止着されるように構成されている、請求項１乃至１８の何れかに記載のラップトップコンピュタ用ケース。
【請求項２１】
前記第１及び第２の部分の他方に、前記革帯を離脱可能に取り付けるための磁石を更に備えている、請求項１９に記載のラップトップコンピュタ用ケース。
【請求項２２】
前記第１及び第２の部分の少なくとも一方に取り付けられた肩掛け革帯を更に備えている、請求項１乃至２１の何れかに記載のラップトップコンピュタ用ケース。
【請求項２３】
剛性材料で作られた第１の部分に、ラップトップコンピュタの表示部を装着し、
剛性材料で作られた第２の部分に、ラップトップコンピュタのキーボード部を装着し、
ラップトップコンピュタの後縁にある複数の開口のすぐ近くに、前記第一の部分を前記第２の部分に対して回動可能に連結する連結部を配置し、
前記連結部と前記複数の開口を露出するためカバー用フラップを開き、
前記複数の少なくとも一つの開口に少なくとも一本のワイヤーを挿入し、
前記キーボード部の使用により前記ラップトップコンピュタにデータを入力し、前記表示部とキーボード部を、前記ラップトップコンピュタにデータを入力している間、前記第１の部分と第２の部分にそれぞれ装着したままにしておく、ラップトップコンピュタの使用方法。
【請求項２４】
カバー用フラップを開く動作は、フック及びループファスナーを分離することを含んでいる、請求項２３に記載のラップトップコンピュタの使用方法。
【請求項２５】
ラップトップコンピュタの表示部を装着する動作は、前記第１の部分に装着されていて弾性体で作られた受口内に、ラップトップコンピュタの表示部の角を配置することを含んでいる、請求項２３又は２４に記載のラップトップコンピュタの使用方法。
【請求項２６】
ラップトップコンピュタのキーボード部を装着する動作は、前記第２の部分に装着されていて弾性体で作られた受口内に、ラップトップコンピュタのキーボード部の角を配置することを含んでいる、請求項２３乃至２５の何れかに記載のラップトップコンピュタの使用方法。
【請求項２７】
剛性材料で作られていてラップトップコンピュタの表示部に固定され得るようになっている第１の部分と、
剛性材料で作られていて前記ラップトップコンピュタのキーボード部に固定され得るようになっている第２の部分と、
前記第１の部分と第２の部分の間に選択的に固定可能で第１の軸の周りに前記第２の部分に対し前記第１の部分を回動可能ならしめ、それによって前記第１の部分と第２の部分との間に固定された時ラップトップコンピュタの開閉を可能ならしめ、前記第１の部分と第２の部分の一方から取り外された時前記第２の部分に対し前記第１の部分の第２の軸に対し回動可能ならしめられて、前記第２の軸の周りに前記表示部の回動を可能ならしめる、カバー用フラップとを備え、
前記第１の部分と第２の部分は、開いた状態でラップトップコンピュタを操作中、前記表示部とキーボード部に固定されたままになる、ラップトップコンピュタ用ケース。
【発明の詳細な説明】
【技術分野】
【０００１】
本発明は、ラップトップコンピュタ用ケースとその使用方法に関する。
【背景技術】
【０００２】
コンピュタ、特にラップトップコンピュタのような携帯用コンピュタは、衝撃によって破損し易い。代表的には、持ち歩き中のラップトップコンピュタを保護する試みとして、バッグやブリーフケースが使用される。これらのバッグやブリーフケースは、パッドを入れて、ラップトップコンピュタを使用するとき取り外される単なる覆いを構成するに過ぎない。したがって、これらのバッグやブリーフケースは、ラップトップコンピュタが使用されている間、保護の役割りを果たさない。また、バッグやブリーフケースからのラップトップコンピュタの取り出しは煩わしく、しかもバッグやブリーフケースからコンピュタを持ち上げて取り出す際に、コンピュタを破損する危険性を避けることはできない。
【発明の開示】
【発明が解決しようとする課題】
【０００３】
本発明の目的は、ケースからコンピュタを取り出す必要なしにコンピュタを操作できるようにするための、ラップトップコンピュタ用ケース及びラップトップコンピュタのための使用方法を提供することにある。
【課題を解決するための手段】
【０００４】
本発明の一実施例によれば、ラップトップコンピュタ用のケースは、剛性材料で作られた第１と第２の部分を有して形成されている。その第１の部分は、ラップトップコンピュタの表示部に固定され得るようになっており、その第２の部分は、ラップトップコンピュタのキーボード部に固定され得るようになっている。連結部が、前記第１の部分を前記第２の部分に連結するために設けられている。それにより、ラップトップコンピュタを開閉することが可能である。カバー用フラップも、前記連結部を横切って選択的に固定可能であるように設けられている。本発明のこの実施例によれば、前記第１の部分と第２の部分は、開いた状態でラップトップコンピュタの操作中、表示部とキーボード部にそれぞれ固定されたままである。
【０００５】
本発明の図示した他の実施例においては、ラップトップコンピュタの使用方法を提供している。その方法は、剛性材料で作られた第１の部分にラップトップコンピュタの表示部を装着する動作と、剛性材料で作られた第２の部分にラップトップコンピュタのキーボード部を装着する動作を含んでいる。連結部が、ラップトップコンピュタの後縁にある複数の開口のすぐ近くに配置されている。その連結部は、前記第２の部分に対して前記第１の部分を回動可能ならしめるべく、前記第１と第２の部分を連結している。カバー用フラップは、前記連結部と前記複数の開口を露出するために開けられる。前記複数の開口の少なくとも一つには、少なくと一本のワイヤーが挿入される。前記キーボード部を使用することにより、ラップトップコンピュタにデータが入力される。本発明のこの実施例によれば、前記表示部とキーボード部は、ラップトップコンピュタへのデータ入力動作中、前記第１と第２の部分に装着されたままである。
【０００６】
本発明の更に他の実施例によれば、ラップトップコンピュタ用のケースが提供される。この実施例によれば、第１の部分は剛性材料で作られていて、ラップトップコンピュタの表示部に固定され得るようになっている。第２の部分は剛性材料で作られていて、ラップトップコンピュタのキーボード部に固定され得るようになっている。カバー用フラップは、第１の軸に沿って前記第２の部分に対し前記第１の部分を回動可能にするため、前記第１と第２の部分に選択的に固定され得る。カバー用フラップが前記第１と第２の部分に固定された時は、それにより、ラップトップコンピュタを開閉することが可能である。カバー用フラップは、また、第１または第２の部分から取り外されたとき回動可能となり、それにより、第２の軸に沿ってラップトップコンピュタの表示部の回動を可能ならしめる。この実施例によれば、前記第１及び第２の部分は、ラップトップコンピュタが開いた状態にある間、表示部及びキーボード部にそれぞれ固定されたままである。
【発明の効果】
【０００７】
本発明によれば、ラップトップコンピュタをバッグやブリーフケースから取り外す必要が無いため、使用の気軽さを増大させることができる。また、ラップトップコンピュタを無保護状態で持ち上げる必要がないため、ラップトップコンピュタの破損の機会を減らすことができる。
【発明を実施するための最良の形態】
【０００８】
本発明の各種実施例によれば、ラップトップコンピュタの各種ケースと使用方法が提供される。本発明の各種実施例は、ケースから取り出す必要が無く、ケースの中にあるままで、キーボード，ディスプレー及び後縁にある複数の孔の使用が可能なようなラップトップコンピュタを提供する。
【０００９】
図１には、ラップトップコンピュタのケース１００の一実施例が示されている。この実施例によれば、第１の部分１１０がラップトップコンピュタの表示部に固定されるように備えられている。対応する第２の部分１３０も、ラップトップコンピュタのキーボード部に固定され得るようになっている。第１の部分１１０には、第１の受口１１２と第２の受口１１４が設けられている。これらの受口は、弾性材料， 非弾性織物又は例えばアルミニウムのような金属からなるバンドで作られていて、ラップトップコンピュタの表示部の角にほぼ対応する第１の部分１１０の角部を保持できる大きさと形態を有している。場合によっては、クリップボードと共に使用される、同様な大きさと形態の樹脂クリップであってもよい。第１の部分１１０にラップトップコンピュタの表示部の下部を保持させるため、下部バンド１１６が使用されてもよい。この下部バンド１１６は、第１の部分１１０にその両端が固定されてもよいし、または、ケース１００内へラップトップコンピュタをより容易に挿入できるように、その一端または両端は取り外し可能であってもよい。場合によっては、付属備品を運ぶことができるように、第１の部分１１０の外表面に少なくとも一つのポケット１２０が設けられてもよい。ポケット１２０は、各種の形態に構成されてもよいことは、いうまでもない。移送中ケース１００を保持するために、ハンドル１１８が設けられてもよい。
【００１０】
図１に示された実施例によれば、第２の部分に、第３の受口１３２と第４の受口１３４が設けられている。第１の受口１１２及び第２の受口１１４と同様に、第３の受口１３２及び第４の受口１３４は、ケース１００の角にラップトップコンピュタのキーボード部の角を保持できるような大きさと形態を有する。第３の受口１３２及び第４の受口１３４は、第１の受口１１２及び第２の受口１１４と同様に、弾性または非弾性の織物材料から作られるのがよい。第２の部分１３０は、また、ケース１００の持ち運び中第１の部分１１０のハンドル１１８と共に使用され得るハンドル１３６を含んでいるのがよい。第１の部分１１０と第２の部分１３０の互いに離れた端部を固定してケース１００を閉鎖位置に維持することができるように、第１の部分１１０と第２の部分１３０の何れか一方に、他方を離脱可能に固定し得る閉鎖用革帯１３８が設けられているのがよい。この閉鎖用革帯１３８は、図示した実施例では、磁石及び/又はバックルまたはファスナーまたは釦の使用により、第１の部分１１０に取り付けられている。
【００１１】
ケース１００は、更に、第２の部分１３０に対して第１の部分１１０を回動して、ラップトップコンピュタの開閉を可能にするように、第１の部分１１０と第２の部分１３０を互いに固定すべく形成された連結部１４０を含んでいる。図１に示した実施例によれば、連結部１４０は、両端が第１の部分１１０と第２の部分１３０にそれぞれ固定された二つの革帯１４４により構成されている。この連結部１４０は、また、ラップトップコンピュタの後縁にある複数の開口に対応するように配置された孔を有する材料で構成されていても良い。
【００１２】
更に、図２に示すように、例えば、第２の部分１３０の連結部１４０を含む辺を除いた他の三辺にそれぞれ固着され、且つヴェルクロ（Velcro：粗面を持つ片が柔らかい表面を持つ片に押し付けられたとき一体にくっつく止着物用材料）等を介して第１の部分１１０に取り外し可能に止着されるように配置された、三枚のカバー用フラップ１５０'、１５０''、１５０'''が、第１のカバー用フラップ１５０に加えて用いられても良い。これにより、ラップトップコンピュタの総べての側面をカバー用フラップ１５０、１５０'、１５０''、１５０'''で覆うことができ、ラップトップコンピュタが閉じられたとき、ラップトップコンピュタ全体を完全に保護することが可能となる。これらのカバー用フラップ１５０'、１５０''、１５０'''は、上記のように第２の部分１３０ではなく、第１の部分１１０に取り付けられても良いことはいうまでもない。
【００１３】
図１に示された革帯１４４は、第１の部分１１０と第２の部分１３０の中央部に、幅広のものを一つだけ設けるようにしても良いし、幅の狭いものを三個所に配設するようにしても良いし、図３に示すように幅広のものと幅狭のものとを組み合わせて用いても良い。
【００１４】
上述の場合、図４に示すように、第１の部分１１０から下方に延びていて、第１のカバー用フラップ１５０の半分の幅を有し且つその外側表面に上述の如き止着手段１５２を有する第３のカバー用フラップ１５１が、内側表面に止着手段を有する第１のカバー用フラップ１５０に加えて設けられ、ラップトップコンプュータが閉じられたとき、第３のカバー用フラップ１５１が、第１のカバー用フラップ１５０によって覆われるように構成されても良い。第３のカバー用フラップ１５１は、ラップトップコンプュータが閉じられたとき、第１のカバー用フラップ１５０の端縁が、第１の部分１１０の下端縁と合致するような具合に、連結部１４０に止着される。
【００１５】
更に、第１のカバー用フラップ１５０は、上述のヴェルクロを用いて、第１の部分１１０に止着されても良い。即ち、連結部１４０が図１に示すように二本の革帯１４４により構成されている場合には、第１のカバー用フラップ１５０は、革帯１４４の背部とそれに対応した第１のカバー用フラップ１５０の部分とにヴェルクロを使用することによって、第１の部分１１０に止着され得る。第１のカバー用フラップ１５０は、このように取り付けられることにより、ラップトップコンプュータの換気や、ラップトップコンプュータの後縁部にある開口にアクセスするために、開けることができる。
【００１６】
ラップトップコンピュタ用のケース１００には、また、カバー用フラップ１５０が設けられている。このカバー用フラップ１５０は、一端縁部が第１の部分１１０または第２の部分１３０の何れか一方に固定され、他端縁部が他方に取り外し可能に止着され得る。図１に示した実施例によれば、カバー用フラップ１５０は、一つまたはそれ以上のフック及びループファスナー１５２，ジッパー１５３，バックル，磁石及び/又はスナップファスナー等周知の止着手段またはこれらの組合せの使用により、第１の部分１１０に選択的に止着可能である。したがって、カバー用フラップ１５０は、第１の部分１１０から選択的に取り外し可能であり、それにより、ケースが開けられた位置にあっても閉じられた位置にあっても、ケース１００内にラップトップコンピュタを維持しながら、同時に、各種のケーブルをラップトップコンピュタの後縁の開口に挿入し得るように、ラップトップコンピュタの後縁にアクセスすることができる。
【００１７】
ケース１００の各種構成要素は、広範囲の材料で構成することができる。第１の部分１１０と第２の部分１３０は、ラップトップコンピュタをある程度保護するように、剛性で平らな材料で構成されるのがよいが、当業者にとって自明である本革類，牛の皮，獣の皮，綿又は細い合成繊維，ナイロン（登録商標）その他の繊維を含む各種の織物材料で構成されても良く、これらは総べて本発明の範囲内にある。構成方法は、当業者にとって自明であり且つ本発明の範囲に含まれる、各種の縫成，接着及び/又はリベットまたはステープルを含むファスナー等による方法を採用し得る。
【００１８】
第１の部分１１０と第２の部分１３０の寸法は、コンピュタの寸法よりも僅かに大きいので、第１の部分１１０と第２の部分１３０の外周の内側にラップトップコンピュタを収めることにより、ラップトップコンピュタを付加的に保護することができる。しかしながら、本発明は、それに限定されるものではなく、第１の部分１１０と第２の部分１３０はコンピュタの寸法に合わせるようにしてもよい。
【００１９】
場合によっては、ケース１００の持ち運びをより容易にするため、第１の部分１１０と第２の部分１３０の一方または両方に、肩掛け革帯１６０を取り外し可能に連結してもよい。図１に示した実施例によれば、肩掛け革帯１６０は、第１の部分１１０と第２の部分１３０の両方に取りつけられていて、しかも取り外し可能である。
【００２０】
本発明の図示した他の実施例によれば、ラップトップコンピュタの使用の方法２００が提供されており、図５に例示されている。この方法２００は、ラップトップコンピュタの表示部を剛性材料で作られた第１の部分に装着する動作（２１０）と、ラップトップコンピュタのキーボード部を剛性材料で作られた第２の部分に装着する動作（２２０）とを含む。ラップトップコンピュタの後縁にある複数の開口の近くに、連結部を配置する（２３０）。その連結部は、前記第２の部分に対して前記第１の部分を回動し得るように、前記第１の部分と前記第２の部分を連結する。前記連結部と前記複数の開口を露出するため、カバー用フラップを開放する（２４０）。前記複数の開口の少なくとも一つに、少なくとも一本のワイヤーを挿入する（２５０）。前記キーボード部の使用により、ラップトップコンピュタにデータを入力する（２６０）。本発明のこの実施例によれば、表示部とキーボード部は、ラップトップコンピュタにデータを入力している間、前記第１の部分と前記第２の部分にそれぞれ装着されたままである。
【００２１】
本発明の図示した他の実施例によれば、ラップトップコンピュタ用のケース３００は、図６に示されている。図６のケース３００は、図１のケース１００と同様に、第１の部分３１０と第２の部分３３０を含んでいる。第１の部分３１０は、第１の受口３１２と第２の受口３１４、及びフック及びループファスナー３１７のような掛金または他の任意の固定装置の使用により釈放可能に取り付けられ得る下部バンド３１６を含んでいる。図１の実施例と同様、ハンドル３１８も設けられている。
【００２２】
第２の部分３３０は、第３の受口３３２と第４の受口３３４を含んでいる。角には、テーブルまたはその他の表面上でケース３００が滑るのを最小限に抑えるため、パッド３３５も設けられている。ケース３００の持ち運びに助けとなるハンドル３３６が設けられている。肩掛け革帯を取り付けるための輪３３８を設けることができる。第２の部分３３０には、また、空気を通過させることを可能にしてラップトップコンピュタの冷却能力を高めるため、一つまたは複数個の換気口３３９が形成されていてもよい。
【００２３】
図６の実施例の連結部３４０は、ラップトップコンピュタの後縁にある複数の開口に対応して近接配置された孔３４４を有する材料で作られている。カバー用フラップ３５０は、一端が連結部３４０に取り付けられて設けられている。しかし、図示した実施例は、図１の実施例のカバー用フラップ１５０と同様、縁に沿って第１の部分または第２の部分３１０，３３０に取り付けられたカバー用フラップ３５０であってもよい。
【００２４】
更に他の実施例が図７及び８に例示されている。ケース４００は、しばしばタブレットＰＣとしても知られている多軸回転可能の表示部を有するラップトップコンピュタに好適に使用され得るように構成されている。ラップトップコンピュタの開閉に伴う標準の回動に加えて、表示部は、該表示部を異なった方向へ向けることを可能にするため、第２の軸の周りに回動することもできる。
【００２５】
図示した他の実施例と同様、ケース４００は、剛性材料で作られていてラップトップコンピュタの表示部４０１に固定された第１の部分４１０を含んでいる。第１と第２の受口４１２，４１４と下部バンド４１６は、第１の部分４１０を表示部に固定するのに使用され得る。第２の部分４３０も、剛性材料で作られていてラップトップコンピュタのキーボード部４０２に固定されている。第３の受口４３２と第４の受口（図示せず）は、第５の受口４３５と第６の受口４３６と共に、ラップトップコンピュタのキーボード部４０２に第２の部分４３０を固定するのに使用され得る。
【００２６】
連結部は第１の部分４１０と第２の部分４３０の両方には取り付けられていないので、ラップトップコンピュタの表示部は第１の軸４８０と第２の軸４９０の両方の軸の周りに回動し得る。図８には、カバー用フラップ４５０が例示されている。このカバー用フラップ４５０は、第１の部分４１０に選択的に固定されるように、フック及びループファスナー４５２のようなファスナーを備えて構成されている。場合によっては、ジッパー及び/又は対応するフック４５６を備えたフックを有する追加の革帯４５４或いは他の固定装置は、ケース４００がハンドル４１８を使用等して持ち運ばれている間に、若しラップトップコンピュータが一つまたは複数の受口から外れそうになったとき、ラップトップコンピュータの重みでカバー用フラップ４５０が開くことのないように、カバー用フラップ４５０を固定するのに使用されてもよい。
【００２７】
また、図９に示したように、第１の部分１１０の内側に、透明で高品質のプラスチックカバーを取り付け、このプラスチックカバーでラップトップコンピュータの表示面を覆うことができるように構成しても良い。この場合、プラスチックカバーの取付けは、各種の厚さの表示面を収納できるように、調節可能で且つ可撓性の材質のものを用いて、第１の部分１１０の両側縁にプラスチックカバーの対応側縁を取り付けることによって行なうようにする。これにより、ラップトップコンピュータの表示面が汚れたり、傷ついたりするのを防止することができる。なお、この構成は、上述の他の実施例にも、適用され得ることは云うまでもない。
【００２８】
図示された実施例，各種の態様及び例は、例示を意味するもので限定されるものではない。本発明は実施例によって説明されたが、本発明の精神から逸脱すること無しに、これらの実施例の各種の修正及び変形が、当業者に示唆されるであろう。上述の各種実施例の特徴及び特性は、組み合わせて利用されてもよい。各種の好適実施例は、単なる例示であって、何れにしても限定的に考慮されるべきではない。
【図面の簡単な説明】
【００２９】
【図１】本発明の一実施例によるラップトップコンピュータ用ケースの一例の斜視図である。
【図２】本発明の他の実施例によるラップトップコンピュータ用ケースの一例の斜視図である。
【図３】本発明の更に他の実施例によるラップトップコンピュータ用ケースの一例の斜視図である。
【図４】本発明の更に他の実施例によるラップトップコンピュータ用ケースの一例の斜視図である。
【図５】本発明の図示した実施例による使用方法の一例を示すフロチャートである。
【図６】本発明の更に他の実施例によるラップトップコンピュータ用ケースの一例の斜視図である。
【図７】本発明の更に他の実施例による多軸回動ラップトップコンピュータ用ケースの一例の斜視図である。
【図８】図７に示したケースの正面図である。
【図９】本発明の更に他の実施例によるラップトップコンピュータ用ケースの一例の斜視図である。
【符号の説明】
【００３０】
１００，３００，４００              ケース
１１０，３１０，４１０              第１の部分
１１２，３１２，４１２              第１の受口
１１３                              調節可能で可撓性の材料
１１４，３１４，４１４              第２の受口
１１６，３１６，４１６              下部バンド
１１８，３１８，４１８              ハンドル
１２０                              ポケット
１３０，３３０，４３０              第２の部分
１３２，３３２，４３２              第３の受口
１３４，３３４                      第４の受口
１３６，３３６，３３８              ハンドル
１３８                              閉鎖革帯
１４０，３４０                      連結部
１４４，４５４                      革帯
１５０，３５０，４５０              カバー用フラップ
１５０'，１５０''，１５０'''        第２のカバー用フラップ
１５１                              第３のカバー用フラップ
１５２，３１７，４５２              フック及びループファスナー
１５３                              ジッパー
１６０                              肩掛け革帯
３３４                              孔
３３５                              パッド
３３８                              輪
３３９                              換気口
４０１                              表示部
４０２                              キーボード部
４３５                              第５の受口
４３６                              第６の受口
４５６                              フック
４８０                              第１の軸
４９０                              第２の軸
【図１】
2008027417.tif 000003
【図２】
2008027417.tif 000004
【図３】
2008027417.tif 000005
【図４】
2008027417.tif 000006
【図５】
2008027417.tif 000007
【図６】
2008027417.tif 000008
【図７】
2008027417.tif 000009
【図８】
2008027417.tif 000010
【図９】
2008027417.tif 000011